(57)【要約】【課題】カメラによる撮影を遠隔制御するためにリモートコントローラを利用することは知られているが、このようなリモートコントローラを利用できるのは、カメラが目視できる範囲内に止まっていた。【解決手段】カメラからの画像信号をインターネットを介して携帯電話機で受信し、カメラがとらえた画像を携帯電話機に表示させ、携帯電話機からの撮影動作信号をインターネットを介してカメラへ送信し、カメラはこの撮影条件に応じた撮影を行う。【選択図】　　図１
2004007296.tif 000002
【特許請求の範囲】
【請求項１】
被写体に対向して設置され、この被写体の画像信号を送信する機能を有するカメラからの前記画像信号を、インターネットを介して前記カメラから離間した位置の携帯電話機により受信し、この携帯電話機にて前記被写体の画像を表示する如くされ、前記携帯電話機から前記カメラに対して前記インターネットを介して撮影動作信号を送信し、前記カメラは前記撮影動作信号に応じて前記被写体を撮影する如く構成したことを特徴とするカメラ撮影システム。
【請求項２】
前記携帯電話機は、前記カメラの撮影条件を設定し得る如く構成されていることを特徴とする請求項１記載のカメラ撮影システム。
【請求項３】
前記撮影条件は、タイマ撮影条件であることを特徴とする請求項２記載のカメラ撮影システム。
【請求項４】
前記タイマ撮影条件を設定した場合、前記インターネットを介した送信時間の遅れを補正して前記カメラにより撮影する如く構成したことを特徴とする請求項３記載のカメラ撮影システム。
【請求項５】
前記撮影条件は、前記カメラを旋回・チルト動作させる撮影条件であることを特徴とする請求項２記載のカメラ撮影システム。
【請求項６】
データ送受信機能を有するカメラからの画像信号をインターネットを介して送受信する送受信部と、前記画像信号を表示する表示部と、前記カメラの撮影条件を設定し得る撮影条件設定部とを具備し、前記撮影条件設定部で設定された撮影条件信号を前記インターネットを介して前記カメラへ送信する如くしたことを特徴とするカメラ撮影装置。
【請求項７】
前記カメラ撮影装置は、携帯電話機であることを特徴とする請求項６記載のカメラ撮影装置。
【請求項８】
前記表示部には複数のカメラ撮影条件を表示し、いずれかのカメラ撮影条件を選択するカメラ撮影条件選択手段を具備することを特徴とする請求項６又は７記載のカメラ撮影装置。
【発明の詳細な説明】
【０００１】
【発明が属する技術分野】
本発明は、インターネットを利用したカメラによる遠隔撮影システム並びに撮影装置に関する。
【０００２】
【従来の技術】
図１７は、従来のカメラ撮影現場の一例を示すもので、人物の集合写真を写そうとするとき、カメラ５１を三脚５２に固定し、撮影者５３がカメラ５１のファインダを覗いて被写体５４の写り込みが正しいか撮影範囲や構図を確認して撮影を行っていた。特に、撮影者５３自身も被写体５４の一人として加わるときは、カメラ５１の撮影範囲や構図を自ら確認した後に、セルフタイマを設定して、指定したタイマ設定時間内に予め定めた被写体の位置へ加わり、集合写真を撮影しなければならないため大変不便であった。
【０００３】
また、このような撮影では、撮影者５３がカメラ５１のファインダを覗いて撮影範囲や構図を確認したにもかかわらず、撮影者５３が被写体５４の位置へ加わるまでの経過時間によって、人物が動いてしまい後列者の顔が前列者の頭に隠れてしまったり、被写体５４である人物が良い表情をしていたタイミングを逸してしまい、シャッタチャンスを逃がすことがあった。
【０００４】
このような問題を解決する例として、特開平５−７２６０８号公報では、カメラから画像信号を発信させ、この画像信号を受信したリモートコントローラにカメラからの画像を表示させることにより撮影範囲にあるかどうかを被写体などが所持しているリモートコントローラにて確認できるようにしたものであって、最適な撮影範囲や構図を決められるようにしたものである。
【０００５】
また、特開２００１−２７５０３０号公報には、被写体などが所持しているリモートコントローラによって撮影操作を行なうとともに、撮影完了や撮影可能などの撮影状態情報をリモートコントローラに表示するようにしたものである。
【０００６】
【発明が解決しようとする課題】
しかしながら、上述した従来のリモートコントロール装置や撮影装置にあっては、いずれも専用端末であるコントローラが必要である。また、カメラからの画像信号は、特定の周波数帯域における省電力型無線や一般家庭で使用される赤外線リモコン方式で送信し、専用端末であるコントローラで受信して画像を表示させる構成としているために、撮影範囲は狭く、電界強度や指向性による撮影距離の制約を受ける課題がある。すなわち、カメラとリモートコントローラ間の作動距離としては、リモートコントローラを所持している者からカメラが目視できる範囲に限定される。
そこで、本発明は、上述した従来の課題を解決するためになされたものであり、専用端末であるコントローラを不要とし、広く普及している携帯電話機により撮影範囲や構図を決めることができるカメラを用いた撮影システム及び撮影装置を提供することを目的とする。なお、以下の説明で呼称する携帯電話機とは、いわゆる携帯電話およびＰＨＳを含む。
【０００７】
【課題を解決するための手段】
本発明に係わるカメラ撮影システムは、被写体に対向して設置され、この被写体の画像信号を送信する機能を有するカメラからの前記画像信号を、インターネットを介して前記カメラから離間した位置の携帯電話機により受信し、この携帯電話機にて前記被写体の画像を表示する如くされ、前記携帯電話から前記カメラに対して前記インターネットを介して撮影動作信号を送信し、前記カメラは前記撮影動作信号に応じて前記被写体を撮影する如く構成したことを要旨とする。
【０００８】
このような構成により、専用端末であるリモートコントローラを必要とすることなく、また、カメラとの間の撮影距離の制約を受けることのないカメラ撮影システムが提供される。
【０００９】
更に本発明に係わるカメラ撮影システムは、携帯電話機にてカメラの撮影条件を設定し得る如く構成したことを要旨とする。
【００１０】
このような構成により、遠隔地にあっても携帯電話機から各種の撮影条件を設定することができる。
【００１１】
更に本発明に係わるカメラ撮影システムは、撮影条件がタイマ撮影条件であることを要旨とする。
【００１２】
このような構成により、カメラとの距離が目視範囲を超えていてもカメラタイマ撮影を行うことを可能とした。
【００１３】
更に本発明に係わるカメラ撮影システムは、タイマ撮影条件を設定した場合、インターネットを介した送信時間の遅れを補正してカメラにより撮影する如く構成したことを要旨とする。
【００１４】
このような構成により、カメラと携帯電話機間にインターネットが介在し、これによる時間遅れも補正され正確な撮影を可能とした。
【００１５】
更に本発明に係わるカメラ撮影システムは、撮影条件がカメラを旋回・チルト動作させる撮影条件であることを要旨とする。
【００１６】
このような構成により、カメラから遠隔地点にいながら、カメラを旋回、チルト作動させることを可能とした。
【００１７】
更に本発明に係わるカメラ撮影装置は、データ送受信機能を有するカメラからの画像信号をインターネットを介して送受信する送受信部と、前記画像信号を表示する表示部と、前記カメラの撮影条件を設定し得る撮影条件設定部とを具備し、前記撮影条件設定部で設定された撮影条件信号を前記インターネットを介して前記カメラへ送信する如くしたことを要旨とする。
【００１８】
このような構成により、専用端末であるリモートコントローラを必要とすることなく、また、カメラとの撮影距離の制約を受けることもないカメラ撮影装置を提供する。
【００１９】
更に本発明に係わるカメラ撮影装置は、カメラ撮影装置が携帯電話機であることを要旨とする。
【００２０】
このような構成により、専用端末であるリモートコントローラを必要とすることなく、また、カメラとの撮影距離の制約を受けることもなく、広く普及している携帯電話機を利用したカメラ撮影装置を提供する。
【００２１】
更に本発明に係わるカメラ撮影装置は、表示部には複数のカメラ撮影条件を表示し、いずれかのカメラ撮影条件を選択するカメラ撮影条件選択手段を有することを要旨とする。
【００２２】
このような構成により、カメラとの間が目視距離を越えた地点にあっても、カメラ撮影条件を選択して撮影作動せしめることができるカメラ撮影装置が提供される。
【００２３】
【発明の実施の形態】
以下に本発明の実施形態を図を参照して説明する。図１は、本発明の実施形態の基本構成例を示すブロック図であるが、デジタルカメラ１０、携帯電話機２０並びにコンピュータシステム３０は、それぞれインターネット４０を介して相互に無線又は有線にて接続されている。
【００２４】
デジタルカメラ１０は、撮影レンズ１１を通過した被写体光を受光して画像信号を出力するＣＣＤ１２と、画像信号のＡ／Ｄ変換や信号処理回路などを含み、ズーム動作、焦点距離の調整動作を行なう撮影動作部１３と、ＣＰＵ及び記憶媒体などから構成される制御部１４、アンテナ１５を備えるほかに、画像信号や操作信号をインターネット４０を経由して受発信する送受信部１６と、制御部１４に接続されているフラッシュ制御部１７とから構成されている。
【００２５】
携帯電話機２０は、最近広く普及し使用されているものであり、操作部２１、制御部２２、音声を入出力するスピーカ２３とマイク２４、画像処理を行なう表示部２５とディスプレイ２６、アンテナ２７を備えるほかに、画像信号や操作信号をインターネット４０を経由して送受信する送受信部２８から構成されている。なお、デジタルカメラ１０及び携帯電話機２０から送受信する通信周波数は、携帯電話を使用する場合は８００ＭＨｚ帯と１．５ＧＨｚ帯であり、ＰＨＳにあっては、１．９ＧＨｚ帯などの一般に利用されている周波数帯域を使用する。
【００２６】
ウェブサイトとなるコンピュータシステム３０は、ＣＰＵなどから構成され、各部の制御やデータの転送、各種演算処理などを行なう制御部３１、インターネット４０を介して接続されたデジタルカメラ１０や携帯電話機２０から入力されるデータを制御する入力制御部３２、インターネット４０上に情報を送信し、デジタルカメラ１０や携帯電話機２０に出力しデータを制御する出力制御部３３、カメラ撮影に係わる各種制御を行なったり、デジタルカメラ１０や携帯電話機２０の使用者認識（ユーザ認識）及びタイマ撮影動作の時間補正を行なうプログラムなどを備え記憶装置３４から構成されている。
【００２７】
上述したデジタルカメラ１０による撮影動作を、図２に示したフローチャートを参照して説明する。携帯電話機２０の操作部２１のボタン操作により、コンピュータシステム３０で構成されたウェブサイトにインターネット４０経由でアクセスし、携帯電話２０にウェブ画面を表示させる（Ｓ１）。ウェブ画面よりＩＤとパスワードを入力し、予め登録された特定の使用者がログインできるように操作する（Ｓ２）。携帯電話機２０の入力画面例を図３に示す。ＩＤとパスワードの入力情報は、コンピュータシステム３０に伝送され、入力制御部３２及び制御部３１により、記憶装置３４から使用者登録データを検索する（Ｓ３）。
【００２８】
登録されていない場合は、制御部３１及び出力制御部３３により、ウェブサイトに使用者情報登録をするよう携帯電話機２０にメッセージを発信し、携帯電話機２０より使用者情報登録を促す（Ｓ４）。既存の登録データが記憶装置３４に存在する場合は、制御部３１及び出力制御部３３により、携帯電話機２０にメニュー画面を表示させる（Ｓ５）。その画面表示例を図４に示す。プルダウンメニューなどにより各種メニューが容易に選択できる。メニュー画面より「プレビュー画面」を選択すると（Ｓ６）、コンピュータシステム３０からデジタルカメラ１０に、カメラの画像信号を送信するよう要求信号が発信され、デジタルカメラ１０は応動して被写体の画像をコンピュータシステム３０に読込み（Ｓ７）、携帯電話機２０に被写体の画像を送信する。これにより、携帯電話２０のディスプレイ２６で被写体の構図を事前に確認することができる（Ｓ８）。
【００２９】
被写体の構図に問題がある場合には、デジタルカメラ１０又は被写体の位置を見直すことにより最適な撮影画面を得ることができる（Ｓ９）。構図に問題がなければ図４のメニュー画面より「シャッター」を選択すると（Ｓ１０）、その要求信号は、ウェブサイト経由でデジタルカメラ１０の送受信部１６に伝送され、制御部１４からの信号より撮影動作部１３を作動させ、カメラ撮影を実行する（Ｓ１１）。
【００３０】
図４のメニュー画面から夜間の撮影などに使用する「フラッシュ撮影」を選択すると、その信号はデジタルカメラ１０の制御部１４に伝送され、フラッシュ制御部１７を発光させて撮影することができる。「フォーカス」を選択すると、デジタルカメラ１０の撮影動作部１３により焦点距離の調整を行なう。「ズーム」を選択すると、デジタルカメラ１０の撮影動作部１３により画像のズームイン、ズームアウトができる。「タイマ撮影」を選択すると、予め指定したタイマ設定時間に合わせて撮影を実行する。タイマ撮影を行なう場合、携帯電話機２０より発信されたタイマ撮影実行信号をコンピュータシステム３０の制御部３１及び記憶装置３４により時間補正の処理を行い、通信回線途中の送信時間の遅れを補正して、指定したタイマ設定時間に合わせる機能も有している。
【００３１】
図７（ａ）（ｂ）に示すカメラ付帯装置６０はデジタルカメラ１０を駆動する装置であり、デジタルカメラ１０に伝送された制御部１４からの要求信号によりカメラ付帯装置６０の駆動部６１を作動させ、デジタルカメラ１０を旋回したりチルトする機能を有している。この動作をさせるには、図４のメニュー画面より「カメラ旋回装置」を選択して各種操作を行なう。これにより、従来、防犯装置として使用されていた監視カメラの画像を、携帯電話２０からの遠隔走査で監視カメラを旋回させ、現場の画像を見て監視することも可能である。
【００３２】
図５は、本発明の使用例を図示したものである。人物が３人集合した被写体５０を撮影するために、デジタルカメラ１０を三脚５１に取り付けている。この例では、被写体５０の全員が携帯電話機２０を所持して、各自が撮影画像のプレビュー確認を実施している。図６は、この使用例の携帯電話機２０のディスプレイ画面を示し、どのように撮影されるか携帯電話機２０で誰でもが容易に事前確認することができる。これにより、自分の顔が他人の頭に隠れて撮影されてしまう集合写真撮影時に頻繁に発生していた不具合を防止できる。また、最近、話題となっている、被写体の背景にある異物等により心霊写真のようなものが撮影されることも未然に回避することができる。
【００３３】
デジタルカメラ１０を操作する信号は、携帯電話やＰＨＳ通信周波数帯を使用していることから、特定の省電力型無線や赤外線リモコン方式のような撮影距離の制約を受けることがない。このため、海岸に設置したカメラから、数キロメートル先の遠距離にある海上の船から携帯電話機によって撮影することもできるし、北海道に設置したカメラから、沖縄にある携帯電話機で撮影することも、外国に設置したカメラから、日本にある携帯電話機で撮影することも可能となる。
【００３４】
図８は、上述したデジタルカメラ１０に替わり、最近、特に普及しているデジタルカメラ付き携帯電話７０に置き換えたものである。このように構成したものにおいては、専用のカメラが不要となり、デジタルカメラ付き携帯電話機７０で被写体を撮影し、他の携帯電話２０で画像を事前確認したり、上述したような各種操作を行うことができる。このため、カメラをいちいち持ち歩く必要はなくなる。
【００３５】
図９は、デジタルカメラ付き携帯電話機７０に撮影操作部８１を付加し、他の携帯電話機の操作信号により、携帯電話機付属のカメラをズーム動作させたり、焦点距離の調整動作を可能としている。もちろん、フラッシュ制御部８２を備えていることから、他の携帯電話機の操作信号により夜間のフラッシュ撮影もできる。これにより、デジタルカメラ付き携帯電話機を手動操作だけでなく、遠隔操作もできるデジタルカメラ付き携帯電話を実現させることができる。
【００３６】
図１０乃至図１６は、デジタルカメラ付き携帯電話機７０を固定する取り扱い装置を示す。撮影者も加わって集合写真を取りたい場合、一般のカメラは三脚を取り付けて撮影することができる。しかし、最近、デジタルカメラ付き携帯電話機７０において三脚で固定する要望があるが、かかる要望を実現するための手段は知られていない。本発明は、デジタルカメラ付き携帯電話７０を三脚で固定する取り扱い装置を提供することを目的としたものである。図１０は、デジタルカメラ７１が設けられているデジタルカメラ付き携帯電話機７０を折りたたみ構造とし、その片方の筐体７２の中に伸縮自在なポール形状のホイップアンテナ９０を収納することができる構造としたものである。使用するときは、折りたたんでいたデジタルカメラ付き携帯電話機７０を開き、ポール形状をしたホイップアンテナ９０をデジタルカメラ付き携帯電話機７０の筐体７２より引き出して固定する。このホイップアンテナ９０は三脚機能を有しており、通常の携行時にはこのホイップアンテナ９０を携帯電話機の送受信用アンテナとして使用できる。このように、デジタルカメラ付き携帯電話と三脚を一体構造としたものは、通常市販されている個別の三脚本体をいちいち持ち運ぶ必要がないので便利である。
【００３７】
図１１は、デジタルカメラ付き携帯電話機７０の筐体にネジ孔１０１を設け、三脚１００とネジ１０２により結合し固定するものである。図１２はデジタルカメラ付き携帯電話機７０及び三脚１００に着脱自在な係合部１０３を取り付け、デジタルカメラ付き携帯電話機７０を固定するものである。図１３は、デジタルカメラ付き携帯電話機７０の外形寸法に合わせた筒状の筐体１０４を設置し、固定するものである。図１４は、三脚１００にクリップ形状の挟み部１０５を取り付け、デジタルカメラ付き携帯電話機７０を挟み込むように固定するものである。図１５は、デジタルカメラ付き携帯電話機７０の底部に挿入孔１０６を設け、三脚１００の上部にピン１０７を設け、挿入孔１０６にピン１０７を挿入することにより、デジタルカメラ付き携帯電話機７０を三脚１００に固定するものである。図１６は、主として、折りたたみ式携帯電話機７０と三脚１００の接合面１０８に、磁石、吸盤、粘着剤、貼着テープなどを取り付け、磁気力、吸引力、粘着力などにより固定するものである。
【００３８】
【発明の効果】
上記した通り、広く世の中に普及している携帯電話機を使用するため、専用端末であるコントローラが不要となり、撮影距離の制約を受けることがなく、誰もが気軽に画像情報を見て、失敗写真を未然に防止することができ、更に、携帯電話を持つ複数の人物のだれもが、最適な撮影範囲や構図を決めて撮影することができる。
【００３９】
撮影者がカメラの場所まで行くことなく、携帯電話機からタイマ撮影することができるとともに、携帯電話機から通信回線を利用してタイマ撮影を行うことに伴う、タイマ設定時間遅れ等の問題を解消することができる。
【００４０】
撮影者がカメラの場所まで行くことなく、携帯電話から最適なカメラ画像を得るために、カメラ本体を旋回したり、チルトさせることができる。これにより、従来、防犯装置として使用されていた監視カメラの画像を、監視室内にあるモニターで見ていたものを、携帯電話機から遠隔操作で監視カメラを旋回させ、現場の画像を場所を選ばずにどこからでも監視することもできる。
【００４１】
更に本発明においては、デジタルカメラ付き携帯電話機を持参すればよく、従来のカメラが不要となるため、手荷物が少なく持ち運びを容易にすることができるとともに、デジタルカメラ付き携帯電話そのものを手動操作することなく、遠隔操作できるカメラ付き携帯電話を実現することができる。また、デジタルカメラ付き携帯電話を三脚で固定することができる。
【図面の簡単な説明】
【図１】本発明の第１の実施形態のカメラ撮影システムの基本構成を示す図。
【図２】図１に示す基本構成例の動作を説明するためのフローチャート。
【図３】携帯電話のディスプレイに表示されるウェッブ画面の表示例である。
【図４】携帯電話のディスプレイに表示される選択メニュー画面の表示例である。
【図５】本発明の一実施例を示すカメラと携帯電話機の使用状態を示す図。
【図６】図５の使用状態による携帯電話機のディスプレイに表示される撮影画像の表示例である。
【図７】カメラ付帯装置の外形図及び基本構成例を示す図。
【図８】カメラに替えてカメラ付き携帯電話機に置き換えた本発明の基本構成例を示す図。
【図９】遠隔操作をすることができるカメラ付き携帯電話機の基本構成例を示す図。
【図１０】カメラ付き携帯電話機を固定する取り扱い装置を示す図。
【図１１】カメラ付き携帯電話機を固定する他の取り扱い装置を示す図。
【図１２】カメラ付き携帯電話機を固定する他の取り扱い装置を示す図。
【図１３】カメラ付き携帯電話機を固定する他の取り扱い装置を示す図。
【図１４】カメラ付き携帯電話機を固定する他の取り扱い装置を示す図。
【図１５】カメラ付き携帯電話を固定する他の取り扱い装置を示す図。
【図１６】カメラ付き携帯電話機を固定する他の取り扱い装置を示す図。
【図１７】カメラにより集合写真を撮影するときの従来例を示す図。
【符号の説明】
１０…デジタルカメラ
１１…撮影レンズ
１２…ＣＣＤ
１３…撮影動作部
１４、２２、３１…制御部
１５、２７…アンテナ
１６、２８…送受信部
１７、８２…フラッシュ制御部
２０…携帯電話機
２１…操作部
２３…スピーカ
２４…マイク
２５…表示部
２６…ディスプレイ
３０…コンピュータシステム
３２…入力制御部
３３…出力制御部
３４…記憶装置
４０…インターネット
６０…カメラ付帯装置
６１…駆動部
７０…デジタルカメラ付き携帯電話機
８１…撮影操作部
【図１】
2004007296.tif 000003
【図２】
2004007296.tif 000004
【図３】
2004007296.tif 000005
【図４】
2004007296.tif 000006
【図５】
2004007296.tif 000007
【図６】
2004007296.tif 000008
【図７】
2004007296.tif 000009
【図８】
2004007296.tif 000010
【図９】
2004007296.tif 000011
【図１０】
2004007296.tif 000012
【図１１】
2004007296.tif 000013
【図１２】
2004007296.tif 000014
【図１３】
2004007296.tif 000015
【図１４】
2004007296.tif 000016
【図１５】
2004007296.tif 000017
【図１６】
2004007296.tif 000018
【図１７】
2004007296.tif 000019